(57)【要約】【課題】カーナビゲーション装置の自車位置精度の高精度化を達成し、取り付け作業を容易に行い、且、非純正カーナビゲーション装置に車速信号を供給することができる車速信号供給装置、カーナビゲーションシステム、及び、これらを含む自動車これらを用いた車載電子機器を提供する。【解決手段】車速信号供給装置１を構成するセンサ部１０は、車輪６０の軸回転を検出して車速信号Ｓ１１を生成し、変換した車速信号Ｓ１１を無線送信する。受信部は、車速信号Ｓ１１を受信し、受信した車速信号Ｓ１１を、車載ＬＡＮを経由せずにカーナビゲーション装置４に供給する。本発明に係る車速信号供給装置１は、カーナビゲーション装置４と組み合わされてカーナビゲーションシステムを構成する。カーナビゲーション装置４は、受信部２０と電気的に接続されている。【選択図】図１
2010117756.tif 000002
【特許請求の範囲】
【請求項１】
センサ部と、受信部とを含む車速信号供給装置であって
前記センサ部は、車輪の軸回転を検出して車速信号を生成し、生成された前記車速信号を無線送信し、
前記受信部は、前記センサ部から無線送信された前記車速信号を受信し、前記受信した前記車速信号を、車載ＬＡＮを経由せずにカーナビゲーション装置に供給する、
車速信号供給装置。
【請求項２】
請求項１に記載された車速信号供給装置であって、さらに前記センサ部は、タイヤ内の空気圧を検出して信号を生成し、前記変換した前記タイヤ空気圧信号を無線送信する、
車速信号供給装置。
【請求項３】
車速信号供給装置と、カーナビゲーション装置とを含むカーナビゲーションシステムであって、
前記車速信号供給装置は、請求項１又は２に記載されたものでなり、
前記カーナビゲーション装置は、前記受信部と電気的に接続されている、
カーナビゲーションシステム。
【請求項４】
カーナビゲーションシステムを含む自動車であって、
前記カーナビゲーションシステムは、請求項３に記載されたものでなる、
自動車。
【発明の詳細な説明】
【技術分野】
【０００１】
本発明は、車速信号供給装置、カーナビゲーションシステム、及び、これらを含む自動車に関する。
【背景技術】
【０００２】
現在、カーナビゲーション装置は、特許文献１に記載されているようなハイブリッド測位方式が主流となっている。ハイブリッド測位方式のカーナビゲーション装置によると、平地ではＧＰＳ（Global Positioning System）のＧＰＳ衛星電波を受信して自車位置を算出し、トンネル内などＧＰＳ衛星電波の届かない場所にあっては車速センサなど各種車載センサの出力信号から自車位置を算出する。
【０００３】
そして、車載ＬＡＮ（Local Area Network）通信は、上述したような車載センサの増加、及び、車載電子機器の進展にともない、データの高速転送化の観点から、車載ＬＡＮ通信の多重化が進められている。車載ＬＡＮ多重通信では、車速信号は、車載装置のための種々のトリガ信号として用いられるから、車速信号の高精度化が要求される。
【０００４】
ところが、車載ＬＡＮ通信のサンプリング又は自車位置更新のタイミングなどの影響により、特に低速時には、期待される精度の車速信号が得られないことがある。その結果、例えば、トンネルで渋滞に巻き込まれた場合、カーナビゲーション装置の自車位置表示に重大な誤差が生じる。
【０００５】
また、車載ＬＡＮ多重通信を構成する車内配線と、各種車載電子機器とは、当該自動車メーカーの独自の規格に基づく純正品で統一されており、これらは車両製造工程において車体と一体的に構成されている。
【０００６】
他方、カーナビゲーション装置は、新製品開発が著しい分野であって、車両製造時に取り付けられた純正カーナビゲーション装置を、市販されている最新型の非純正カーナビゲーション装置に取り換えたいという市場のニーズは非常に高い。
【０００７】
しかし、非純正カーナビゲーション装置は、必ずしも純正車内配線に接続可能であるとは限らない。純正車内配線に接続することができない場合、非純正カーナビゲーション装置は、車速信号に基づく自律航法を行えないこととなる。
【０００８】
しかも、非純正カーナビゲーション装置の多くは、アナログ信号に対応した仕様となっている。一方、純正車載ＬＡＮ多重通信は、デジタル信号に対応した仕様となっている。従って、非純正カーナビゲーション装置では、純正車載ＬＡＮ多重通信から供給される車速信号（デジタル信号）に基づく自律航法を行えないこととなる。
【０００９】
そこで、純正車速センサとは別に非純正車速センサを新たに追加し、この非純正車速センサで変換した車速信号を、非純正カーナビゲーション装置に供給することも考えられる。しかし、純正車内配線に対して、非純正車速センサ、及び、非純正カーナビゲーション装置を追加接続する作業は極めて困難である。
【特許文献１】特開平０９−００５０９３号公報
【発明の開示】
【発明が解決しようとする課題】
【００１０】
本発明の課題は、カーナビゲーション装置の自車位置精度の高精度化を達成することができる車速信号供給装置、カーナビゲーションシステム、及び、これらを含む自動車を提供することである。
【００１１】
本発明のもう１つの課題は、取り付け作業を容易に行うことができる車速信号供給装置、カーナビゲーションシステム、及び、これらを含む自動車を提供することである。
【００１２】
本発明の更にもう一つの課題は、非純正カーナビゲーション装置に車速信号を供給することができる車速信号供給装置、カーナビゲーションシステム、及び、これらを含む自動車を提供することである。
【課題を解決するための手段】
【００１３】
上述した課題を解決するため、本発明に係る車速信号供給装置は、センサ部と、受信部とを含む。センサ部は、車輪の軸回転を検出して車速信号を生成し、生成した車速信号を無線送信する。受信部は、車速信号を受信し、受信した車速信号を、車載ＬＡＮを経由せずにカーナビゲーション装置に供給する。
【００１４】
上述した車速信号供給装置は、カーナビゲーション装置と組み合わされてカーナビゲーションシステムを構成する。本発明に係るカーナビゲーションシステムにおいて、カーナビゲーション装置は、受信部に接続されている。
【００１５】
上述した構造によると、本発明に係る車速信号供給装置を構成するセンサ部は、車速信号を、受信部に無線送信するから、取り付け作業を容易に行うことができる。
【００１６】
また、車速信号は、車載ＬＡＮを経由せずにカーナビゲーション装置に供給されるから、カーナビゲーション装置の自車位置精度の高精度化を達成することができる。
【００１７】
さらに、車速信号は、車載ＬＡＮを経由せずにカーナビゲーション装置に供給されるから、自動車メーカーによって車両製造時に取り付けられている純正カーナビゲーション装置を、市販の非純正カーナビゲーション装置に取り替えて、使用することができる。
【発明の効果】
【００１８】
以上述べたように、本発明によれば、次のような効果を得ることができる。
（１）カーナビゲーション装置の自車位置精度の高精度化を達成することができる車速信号供給装置、カーナビゲーションシステム、及び、これらを含む自動車を提供することができる。
（２）取り付け作業を容易に行うことができる車速信号供給装置、カーナビゲーションシステム、及び、これらを含む自動車を提供することができる。
（３）非純正カーナビゲーション装置に車速信号を供給することができる車速信号供給装置、カーナビゲーションシステム、及び、これらを含む自動車を提供することができる。
【００１９】
本発明の他の目的、構成及び利点については、添付図面を参照し、更に詳しく説明する。添付図面は、単に、例示に過ぎない。
【発明を実施するための最良の形態】
【００２０】
図１は本発明の一実施形態に係る車速信号供給装置の構成を示す図である。図１の車速信号供給装置は、カーナビゲーション装置に用いられるものであって、センサ部１０と、受信部２０とを含む。
【００２１】
センサ部１０は、車輪の軸回転を検出して車速信号Ｓ１１を生成し、この車速信号Ｓ１１を無線送信する。より具体的に説明すると、図１のセンサ部１０は、車速センサ部１１と、第１の信号処理部１３と、第１の出力端子１４と、送信用アンテナ１６とを有している。センサ部１０は、好ましくは車輪に取り付けられる。
【００２２】
車速センサ部１１は、車輪の軸回転を検出して車速信号Ｓ１１を生成するものであって、好ましくは回転センサや、ジャイロセンサを用いることができ、より好ましくは圧電振動ジャイロセンサを用いることができる。
【００２３】
車速センサ部１１で変換される車速信号Ｓ１１は、例えば、車輪の軸回転スピードが上昇すれば周波数が高くなり、車輪の軸回転スピードが低下すれば周波数が低くなるようなものである。車速信号Ｓ１１は、接続されるカーナビゲーション装置の仕様に応じて、矩形波、又は、交流波形のいずれでもよい。
【００２４】
車速センサ部１１は、得られた車速信号Ｓ１１を第１の信号処理部１３に供給する。第１の信号処理部１３は、車速センサ部１１から供給された車速信号Ｓ１１を、無線信号Ｓ１３に変換し、変換した無線信号Ｓ１３を第１の出力端子１４に接続された送信用アンテナ１６から無線送信する。
【００２５】
受信部２０は、車速信号（Ｓ１１）を受信し、受信した車速信号（Ｓ１１）を、車載ＬＡＮ（Local Area Network）を経由せずにカーナビゲーション装置に供給する。より詳細に説明すると、図１の受信部２０は、受信用アンテナ２６と、第２の入力端子２１と、第２の信号処理部２３と、第２の出力端子２４とを有している。受信部２０は、好ましくは車体に取り付けられ、より好ましくは車内空間に取り付けられている。
【００２６】
受信部２０は、送信用アンテナ１６から無線送信された無線信号Ｓ１３を、受信用アンテナ２６で受信する。受信用アンテナ２６で受信された無線信号Ｓ１３は、第２の入力端子２１を通して第２の信号処理部２３に取り込まれる。
【００２７】
第２の信号処理部２３は、第２の入力端子２１から供給された無線信号Ｓ１３を、車速信号Ｓ１１に変換（復調）する。車速信号Ｓ１１は、第２の出力端子２４に供給される。第２の出力端子２４は、車速信号Ｓ１１を、自動車メーカーによって車両製造時に取り付けられている純正車載ＬＡＮを経由せずに、カーナビゲーション装置に供給する。
【００２８】
図２は、本発明の一実施形態に係るカーナビゲーションシステムの構成を示す図、図３は図２に示したカーナビゲーションシステムを有する自動車について、一部を省略して示す図である。図２及び図３において、図１に示した構成部分と同一の構成部分には、同一の参照符号を付す。図２のカーナビゲーションシステムは、図１を参照して説明した車速信号供給装置１と、カーナビゲーション装置４とを含む。
【００２９】
カーナビゲーション装置４は、車載ＬＡＮを経由せずに、受信部２０と電気的に接続されている。図２のカーナビゲーション装置４は、第４の入力端子４０を有し、第４の入力端子４０は、受信部２０の第２の出力端子２４に、ケーブル等の配線Ｌ１で接続されており、受信部２０から供給された車速信号Ｓ１１が有線伝送方式により供給される。
【００３０】
図２のカーナビゲーションシステムが、実際に自動車に取り付けられる構成について、図３を参照すると、車速信号供給装置１を構成するセンサ部１０は車輪６０に取り付けられており、受信部２０は車体６の車内空間（例えば運転席近傍）に取り付けられている。カーナビゲーション装置４は、運転席近傍に取り付けられ、受信部２０と配線Ｌ１で有線接続されている。
【００３１】
従来のカーナビゲーション装置は、純正車載ＬＡＮ多重通信によって車速信号Ｓ１１が供給されるから、多重化に係るサンプリング、又は、更新のタイミングにより車速信号Ｓ１１の精度が低下する。その結果、当該車両が、例えばＧＰＳ衛星電波の届かないトンネルで渋滞に巻き込まれた場合、自車位置表示に重大な誤差が生じる。
【００３２】
これに対して、本発明に係るカーナビゲーションシステムにおいて、センサ部１０で生成された車速信号Ｓ１１は、純正車載ＬＡＮを構成する純正車内配線を経由せずに、カーナビゲーション装置４に供給されるから、高精度の車速信号Ｓ１１をカーナビゲーション装置４に供給することができる。従って、カーナビゲーション装置４の自車位置精度を高精度化することができる。
【００３３】
しかも、車速信号Ｓ１１は、純正車内配線を経由せずに、専用配線Ｌ１を通じてカーナビゲーション装置４に供給されるから、自動車メーカーによって車両製造時に取り付けられている純正カーナビゲーション装置を、市販の非純正カーナビゲーション装置４に取り替えて、使用することができる。
【００３４】
非純正カーナビゲーション装置４は、必ずしも純正車内配線に接続可能であるとは限らないから、従来は、自律航法に必要な車速信号（Ｓ１１）を受け取ることができなかった。また仮に、非純正カーナビゲーション装置を純正車内配線に接続することができたとしても、非純正カーナビゲーション装置の多くは、アナログ信号に基づき動作する仕様となっており、純正車載ＬＡＮ多重通信により伝送されている車速信号（Ｓ１１）を利用することができなかった。
【００３５】
これに対し、本発明では、車速信号Ｓ１１は、受信部２０は配線Ｌ１を通じてカーナビゲーション装置４に接続されている、非純正カーナビゲーション装置４に高精度の車速信号Ｓ１１を供給することができるとともに、非純正カーナビゲーション装置の仕様に則した車速信号Ｓ１１を供給することができる。
【００３６】
次に、従来の車載機器は、リブメータ裏やＡＶ裏のコネクタから車速信号（Ｓ１１）を得ていた。その結果、非純正カーナビゲーション装置のための非純正車速センサを後付しようとしても、高密度化された車内配線に追加配線するのが難しい。しかも、配線の引き回しをするためには、エンジンルームの周壁など車体に穴を開けなければならず、取り付け作業が困難であった。
【００３７】
これに対して、本発明において、センサ部１０、及び、受信部２０は、車速信号Ｓ１１を無線にて送受信するから、センサ部１０、及び、受信部２０の取り付け作業を容易に行うことができる。例えば、車速信号供給装置１のセンサ部１０は、車輪６０に取り付けられる。この構成によると、センサ部１０の取り付け作業を容易に行うことができる。
【００３８】
図４は、本発明のもう一つの実施形態に係るカーナビゲーションシステムの構成を示す図である。図４において、図１乃至図３に示した構成部分と同一の構成部分には、同一の参照符号を付す。
【００３９】
図４のカーナビゲーションシステムを構成する車速信号供給装置１において、センサ部１０は、タイヤ内の充填空気圧を検出してタイヤ空気圧信号を生成し、得られたタイヤ空気圧信号を無線送信する。より詳細に説明すると図４の車速信号供給装置１は、センサ部１０と、受信部２０とを有する。
【００４０】
センサ部１０は、車速センサ部１１と、タイヤ空気圧センサ部１２と、第１の信号処理部１３とを有し、好ましくは車輪（６０）に取り付けられ、より好ましくはホイールバルブ（空気注入口）に埋設されている。
【００４１】
車速センサ部１１は、車輪６０の軸回転を検出して車速信号Ｓ１１を生成し、この車速信号Ｓ１１を第１の信号処理部１３に供給する。タイヤ空気圧センサ部１２は、タイヤ内の充填空気圧が規定値以下に低下したことを検出したとき、タイヤ空気圧信号Ｓ１２を生成し、このタイヤ空気圧信号Ｓ１２を第１の信号処理部１３に供給する。もっとも、タイヤ空気圧センサ部１２は、タイヤの充填空気圧が規定値の範囲内にあることを検出してタイヤ空気圧信号Ｓ１２を生成してもよい。
【００４２】
第１の信号処理部１３は、車速センサ部１１から供給された車速信号Ｓ１１、及び、タイヤ空気圧センサ部１２から供給されたタイヤ空気圧信号Ｓ１２を、無線信号Ｓ１３に変換し、無線信号Ｓ１３を第１の出力端子１４に接続された送信用アンテナ１６から無線送信する。
【００４３】
受信部２０は、無線信号Ｓ１３を受信し、受信した無線信号Ｓ１３を車速信号Ｓ１１に変換してカーナビゲーション装置４に供給し、または、受信した無線信号Ｓ１３をタイヤ空気圧信号Ｓ１２に変換して異常表示装置５０に供給する。より詳細に説明すると、図４の受信部２０は、受信用アンテナ２６と、第２の入力端子２１と、第２の信号処理部２３と、第２の出力端子２４と、第３の出力端子２５とを有し、好ましくは車体（６）に取り付けられる。
【００４４】
受信部２０は、送信用アンテナ１６から無線送信された無線信号Ｓ１３を、受信用アンテナ２６で受信する。受信用アンテナ２６で受信した無線信号Ｓ１３は、第２の入力端子２１を通じて第２の信号処理部２３に供給される。
【００４５】
第２の信号処理部２３は、受信用アンテナ２６から供給された無線信号Ｓ１３を受信し、車速信号Ｓ１１及びタイヤ空気圧信号Ｓ１２に変換（復調）する。車速信号Ｓ１１は第２の出力端子２４に供給され、タイヤ空気圧信号Ｓ１２は第３の出力端子２５に供給される。
【００４６】
第２の出力端子２４は、第２の信号処理部２３から供給された車速信号Ｓ１１を、車載ＬＡＮを経由せずに、車載ＬＡＮから電気的に独立する配線Ｌ１によりカーナビゲーション装置４に供給する。
【００４７】
第３の出力端子２５は、第２の信号処理部２３から供給されたタイヤ空気圧信号Ｓ１２を、車載ＬＡＮを経由せずに、車載ＬＡＮから電気的に独立する配線Ｌ２により異常表示装置５０に供給する。異常表示装置５０は、例えば、点滅／点灯することにより、異常を検出したセンサ部１０が取り付けられているタイヤの異常をドライバーに知らせる。即ち、車速信号供給装置１において、少なくともセンサ部１０は、車両６に設置された全ての車輪（６０）に取り付けられる。
【００４８】
上述した構成によると、図１乃至図３を参照して説明した利点を全て有し、さらに、タイヤ空気圧監視システムを安価に、且、効率的に設置することができる。
【００４９】
以上、好ましい実施例を参照して本発明の内容を具体的に説明したが、本発明の基本的技術思想及び教示に基づいて、当業者であれば、種種の変形態様を採り得ることは自明である。
【図面の簡単な説明】
【００５０】
【図１】本発明の一実施形態に係る車速信号供給装置の構成を示す図である。
【図２】本発明の一実施形態に係るカーナビゲーションシステムの構成を示す図である。
【図３】図２に示したカーナビゲーションシステムを有する自動車について、一部を省略して示す図である。
【図４】本発明のもう一つの実施形態に係るカーナビゲーションシステムの構成を示す図である。
【符号の説明】
【００５１】
１      車速信号供給装置
１０    センサ部
１３    第１の信号処理部
２０    受信部
２１    第２の入力端子
２３    第２の信号処理部
４      カーナビゲーション装置
５      車載ＬＡＮ
５０    異常表示装置
６０    車輪
Ｓ１１  車速信号
Ｓ１２  タイヤ空気圧信号
Ｓ１３  無線信号
【図１】
2010117756.tif 000003
【図２】
2010117756.tif 000004
【図３】
2010117756.tif 000005
【図４】
2010117756.tif 000006